【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、前記ビデオデータは、コーディングされるべき元のブロックと予測ブロックとの間のピクセル差分を表す残差データを備える、前記方法は、
前記ビデオデータのルーマ成分のビット深度と前記ビデオデータのクロマ成分のビット深度とを決定することと、
前記ルーマ成分の前記ビット深度が前記クロマ成分の前記ビット深度とは異なることに応答して、前記ビット深度が等しくなるように前記ルーマ成分の前記ビット深度と前記クロマ成分の前記ビット深度の一方または両方を修正することと、
前記修正されたビデオデータに色空間変換プロセスを適用することと
を備える、方法。
【請求項２】
前記ビデオデータを符号化するために色空間変換プロセスを使用することを決定することをさらに備え、ここにおいて、前記ビデオデータを符号化するために色空間変換プロセスを使用することを決定することは、
色空間変換プロセスを使用して前記ビデオデータが符号化されたことを示すシンタックス要素の値を設定することを備え、
ここにおいて、前記シンタックス要素が好ましくは、１ビットフラグを備え、前記シンタックス要素についての１の値が好ましくは、色空間変換プロセスが前記ビデオデータを符号化するために使用されることを示す、請求項１に記載の方法。
【請求項３】
イントラコーディングされたコーディングユニットについて、イントラパルス符号変調（ＩＰＣＭ）モード以外のモードを使用して前記コーディングユニットが符号化されるときのみ、前記シンタックス要素は、シグナリングされ、および／または、
前記コーディングユニットの変換ユニット中に非０係数があるとき、前記シンタックス要素は、色空間変換プロセスを使用して前記コーディングユニットが符号化されたことを示す、および／または、
前記コーディングユニットがイントラコーディングされるとき、および前記コーディングユニット内の予測ユニットのルーマ予測モードとクロマ予測モードとが異なるとき、前記シンタックス要素がシグナリングされない、および／または、
前記コーディングユニットがパレットモードでコーディングされるとき、前記シンタックス要素がシグナリングされない、請求項２に記載の方法。
【請求項４】
ビデオデータを記憶するように構成されたメモリと、前記ビデオデータは、コーディングされるべき元のブロックと予測ブロックとの間のピクセル差分を表す残差データを備える、
１つまたは複数のプロセッサと
を備えるビデオ符号化デバイスであって、前記１つまたは複数のプロセッサは、
前記ビデオデータのルーマ成分のビット深度と前記ビデオデータのクロマ成分のビット深度とを決定することと、
前記ルーマ成分の前記ビット深度が前記クロマ成分の前記ビット深度とは異なることに応答して、前記ビット深度が等しくなるように前記ルーマ成分の前記ビット深度と前記クロマ成分の前記ビット深度の一方または両方を修正することと、
前記修正されたビデオデータに色空間変換プロセスを適用することと
を行うように構成された、ビデオ符号化デバイス。
【請求項５】
前記１つまたは複数のプロセッサが、前記ビデオデータを符号化するために色空間変換プロセスを使用することを決定するようにさらに構成され、ここにおいて、前記１つまたは複数のプロセッサが前記ビデオデータを符号化するために色空間変換プロセスを使用することを決定するように構成されることは、前記１つまたは複数のプロセッサが
色空間変換プロセスを使用して前記ビデオデータが符号化されたことを示すシンタックス要素の値を設定するように構成されることを備える、
ここにおいて、前記シンタックス要素が好ましくは、１ビットフラグを備え、前記シンタックス要素についての１の値が好ましくは、色空間変換プロセスが前記ビデオデータを符号化するために使用されることを示す、請求項４に記載のビデオ符号化デバイス。
【請求項６】
イントラコーディングされたコーディングユニットについて、イントラパルス符号変調（ＩＰＣＭ）モード以外のモードを使用して前記コーディングユニットがコーディングされるときのみ、前記シンタックス要素がシグナリングされる、および／または、
前記コーディングユニットの変換ユニット中に非０係数があるときのみ、前記シンタックス要素がシグナリングされる、および／または、
前記コーディングユニットがイントラコーディングされるとき、および前記コーディングユニット内の予測ユニットのルーマ予測モードとクロマ予測モードとが異なるとき、前記シンタックス要素がシグナリングされない、および／または、
前記コーディングユニットがパレットモードでコーディングされるとき、前記シンタックス要素がシグナリングされない、請求項５に記載のビデオ符号化デバイス。
【請求項７】
実行されたとき、ビデオ符号化デバイスの１つまたは複数のプロセッサに、請求項１−３または８−１２のうちのいずれかに記載の方法を実施させる命令を備えるコンピュータ可読記憶媒体。
【請求項８】
ビデオデータを復号する方法であって、前記ビデオデータは、コーディングされるべき元のブロックと予測ブロックとの間のピクセル差分を表す残差データを備える、前記方法は、
前記ビデオデータのルーマ成分のビット深度と前記ビデオデータのクロマ成分のビット深度とを決定することと、
前記ルーマ成分の前記ビット深度が前記クロマ成分の前記ビット深度とは異なることに応答して、前記ビット深度が等しくなるように前記ルーマ成分の前記ビット深度と前記クロマ成分の前記ビット深度の一方または両方を修正することと、
前記修正されたビデオデータに逆色空間変換プロセスを適用することと
を備える、方法。
【請求項９】
ビデオデータのコーディングユニットのシンタックス要素を復号することと、ここにおいて、前記シンタックス要素が、色空間変換プロセスを使用して前記コーディングユニットが符号化されたかどうかを示す、
前記シンタックス要素の値が、色空間変換プロセスを使用して前記コーディングユニットが符号化されたことを示すかどうかを決定することと、
前記シンタックス要素が、色空間変換プロセスを使用して前記コーディングユニットがコーディングされたことを示すと決定することに応答して、前記逆色空間変換プロセスを適用することと
をさらに備え、
ここにおいて、前記シンタックス要素が１ビットフラグを備え、前記シンタックス要素についての１の値が好ましくは、色空間変換プロセスが前記ビデオデータを符号化するために使用されることを示す、請求項８に記載の方法。
【請求項１０】
前記シンタックス要素が、前記ＩＰＣＭモード以外のモードを使用するイントラコーディングされたコーディングユニットについてのみシグナリングされる、および／または、
前記コーディングユニットの変換ユニット中に非０係数があるとき、前記シンタックス要素は、色空間変換プロセスを使用して前記コーディングユニットが符号化されたことを示す、および／または、
前記コーディングユニットがイントラコーディングされるとき、および前記コーディングユニット内の予測ユニットのルーマ予測モードとクロマ予測モードとが異なるとき、前記シンタックス要素は、色空間変換プロセスを使用して前記コーディングユニットが符号化されなかったことを示し、ここにおいて、前記シンタックス要素が、前記ビデオデータを備える受信ビットストリーム中に存在せず、および、ここにおいて、前記シンタックス要素を復号することが、前記シンタックス要素の前記値を推論することを備える、および／または、
前記コーディングユニットがパレットモードでコーディングされるとき、前記シンタックス要素は、色空間変換プロセスを使用して前記コーディングユニットが符号化されなかったことを示し、ここにおいて、前記シンタックス要素が、前記ビデオデータを備える受信ビットストリーム中に存在せず、および、ここにおいて、前記シンタックス要素を復号することが、前記シンタックス要素の前記値を推論することを備える、請求項９に記載の方法。
【請求項１１】
前記ビデオデータはビデオデータの第１のセットであり、前記方法は、
ビデオデータの第２のセットについて、
ビデオデータの前記第２のセットのルーマ成分のビット深度とビデオデータの前記第２のセットのクロマ成分のビット深度とを決定することと、
ビデオデータの前記第２のセットの前記ルーマ成分の前記ビット深度がビデオデータの前記第２のセットの前記クロマ成分の前記ビット深度とは異なることに応答して、ビデオデータの前記第２のセットについての前記色空間変換、または逆色空間変換を無効化することと
をさらに備え、
前記方法は、好ましくは、
ビデオデータの前記第２のセットのために前記色空間変換プロセスまたは前記逆色空間変換プロセスが無効化されることを示す、ビデオデータの前記第２のセットのピクチャパラメータセットの第２のシンタックス要素を復号することをさらに備える、請求項１または８に記載の方法。
【請求項１２】
前記ルーマ成分の前記ビット深度と前記クロマ成分の前記ビット深度の一方または両方を修正することが、前記逆色空間変換プロセスを適用することの前に、前記ルーマ成分と前記クロマ成分の一方または両方の前記ビデオデータに対してビット単位シフト演算を実行することを備える、請求項１または８に記載の方法。
【請求項１３】
ビデオデータを記憶するように構成されたメモリと、前記ビデオデータは、コーディングされるべき元のブロックと予測ブロックとの間のピクセル差分を表す残差データを備える、
１つまたは複数のプロセッサと
を備えるビデオ復号デバイスであって、前記１つまたは複数のプロセッサは、
前記ビデオデータのルーマ成分のビット深度と前記ビデオデータのクロマ成分のビット深度とを決定することと、
前記ルーマ成分の前記ビット深度が前記クロマ成分の前記ビット深度とは異なることに応答して、前記ビット深度が等しくなるように前記ルーマ成分の前記ビット深度と前記クロマ成分の前記ビット深度の一方または両方を修正することと、
前記修正されたビデオデータに逆色空間変換プロセスを適用することと
を行うように構成された、ビデオ復号デバイス。
【請求項１４】
前記１つまたは複数のプロセッサは、
ビデオデータのコーディングユニットのシンタックス要素を復号することと、ここにおいて、前記シンタックス要素が、色空間変換プロセスを使用して前記コーディングユニットが符号化されたかどうかを示す、
前記シンタックス要素の値が、色空間変換プロセスを使用して前記コーディングユニットが符号化されたことを示すかどうかを決定することと、
前記シンタックス要素が、色空間変換プロセスを使用して前記コーディングユニットがコーディングされたことを示すと決定することに応答して、前記逆色空間変換プロセスを適用することと
を行うようにさらに構成され、
ここにおいて、前記シンタックス要素が好ましくは、１ビットフラグを備え、前記シンタックス要素についての１の値が好ましくは、色空間変換プロセスが前記ビデオデータを符号化するために使用されることを示す、請求項１３に記載のビデオ復号デバイス。
【請求項１５】
前記シンタックス要素が、前記ＩＰＣＭモード以外のモードを使用するイントラコーディングされたコーディングユニットについてのみシグナリングされる、および／または、
前記コーディングユニットの変換ユニット中に非０係数があるときのみ、前記シンタックス要素がシグナリングされる、および／または、
前記コーディングユニットがイントラコーディングされるとき、および前記コーディングユニット内の予測ユニットのルーマ予測モードとクロマ予測モードとが異なるとき、前記シンタックス要素は、色空間変換プロセスを使用して前記コーディングユニットが符号化されなかったことを示し、ここにおいて、前記シンタックス要素が、前記ビデオデータを備える受信ビットストリーム中に存在せず、および、ここにおいて、前記シンタックス要素を復号することが、前記シンタックス要素の前記値を推論することを備える、および／または、
前記コーディングユニットがパレットモードでコーディングされるとき、前記シンタックス要素は、色空間変換プロセスを使用して前記コーディングユニットが符号化されなかったことを示し、ここにおいて、前記シンタックス要素が、前記ビデオデータを備える受信ビットストリーム中に存在せず、および、ここにおいて、前記シンタックス要素を復号することが、前記シンタックス要素の前記値を推論することを備える、請求項１４に記載のビデオ復号デバイス。